(57)【要約】【課題】電子部品を筒形状の装着部に確実に装着することができる電子部品保持構造、電気接続箱、及び、ワイヤハーネスを提供する。【解決手段】電気接続箱１は、並び方向において一対の第１スリット部３５を挟んで設けられ、それぞれが対向方向に壁部３１ａを貫通し、挿入口３１ｂから挿入方向に沿って支持部３２側に延在し、支持部３２側の端部である先端３６ａが閉塞された閉塞端部であり、並び方向において各第１スリット部３５と重なる一対の第２スリット部３６を備える。【選択図】図１
2018057124.tif 000002
【特許請求の範囲】
【請求項１】
筒形状に形成され電子部品が挿入方向に沿って挿入される挿入口が設けられる筒部と、
前記筒部の前記挿入口とは反対側に設けられ前記電子部品を支持する支持部と、
前記筒部の互いに対向する壁部にそれぞれ設けられ互いに対向し対向方向に前記壁部を貫通する一対の開口部において、前記各開口部の前記挿入口側のそれぞれの縁部から前記挿入方向に沿って前記支持部側に片持ち状に延在し前記電子部品を保持する一対のアーム部と、
前記挿入方向に交差する方向であり、且つ、前記各開口部が設けられた前記筒部の前記壁部に沿う方向である並び方向において前記各アーム部の両側に設けられ、それぞれが前記各開口部の一部を構成し、前記支持部側から前記挿入方向に沿って前記挿入口側に延在し、前記挿入口側の端部が閉塞された閉塞端部である一対の第１スリット部と、
前記並び方向において前記一対の第１スリット部を挟んで設けられ、それぞれが前記対向方向に前記壁部を貫通し、前記挿入口から前記挿入方向に沿って前記支持部側に延在し、前記支持部側の端部が閉塞された閉塞端部であり、前記並び方向において前記一対の第１スリット部と重なる一対の第２スリット部と、
を備えることを特徴とする電子部品保持構造。
【請求項２】
前記筒部は、
前記電子部品が前記挿入口から挿入される際に、前記一対の第２スリット部により挟まれるスリット間壁部に前記電子部品が当接した場合、当該スリット間壁部が弾性変形する請求項１に記載の電子部品保持構造。
【請求項３】
電子部品と、
筒形状に形成され前記電子部品が挿入方向に沿って挿入される挿入口が設けられる筒部と、
前記筒部の前記挿入口とは反対側に設けられ前記電子部品を支持する支持部と、
前記筒部の互いに対向する壁部にそれぞれ設けられ互いに対向し対向方向に前記壁部を貫通する一対の開口部において、前記各開口部の前記挿入口側のそれぞれの縁部から前記挿入方向に沿って前記支持部側に片持ち状に延在し前記電子部品を保持する一対のアーム部と、
前記挿入方向に交差する方向であり、且つ、前記各開口部が設けられた前記筒部の前記壁部に沿う方向である並び方向において前記各アーム部の両側に設けられ、それぞれが前記各開口部の一部を構成し、前記支持部側から前記挿入方向に沿って前記挿入口側に延在し、前記挿入口側の端部が閉塞された閉塞端部である一対の第１スリット部と、
前記並び方向において前記一対の第１スリット部を挟んで設けられ、それぞれが前記対向方向に前記壁部を貫通し、前記挿入口から前記挿入方向に沿って前記支持部側に延在し、前記支持部側の端部が閉塞された閉塞端部であり、前記並び方向において前記一対の第１スリット部と重なる一対の第２スリット部と、
を備えることを特徴とする電気接続箱。
【請求項４】
電子部品と、筒形状に形成され前記電子部品が挿入方向に沿って挿入される挿入口が設けられる筒部と、前記筒部の前記挿入口とは反対側に設けられ前記電子部品を支持する支持部と、前記筒部の互いに対向する壁部にそれぞれ設けられ互いに対向し対向方向に前記壁部を貫通する一対の開口部において、前記各開口部の前記挿入口側のそれぞれの縁部から前記挿入方向に沿って前記支持部側に片持ち状に延在し前記電子部品を保持する一対のアーム部と、前記挿入方向に交差する方向であり、且つ、前記各開口部が設けられた前記筒部の前記壁部に沿う方向である並び方向において前記各アーム部の両側に設けられ、それぞれが前記各開口部の一部を構成し、前記支持部側から前記挿入方向に沿って前記挿入口側に延在し、前記挿入口側の端部が閉塞された閉塞端部である一対の第１スリット部と、前記並び方向において前記一対の第１スリット部を挟んで設けられ、それぞれが前記対向方向に前記壁部を貫通し、前記挿入口から前記挿入方向に沿って前記支持部側に延在し、前記支持部側の端部が閉塞された閉塞端部であり、前記並び方向において前記一対の第１スリット部と重なる一対の第２スリット部と、を備える電気接続箱と、
前記電子部品に電気的に接続される電線と、
を備えることを特徴とするワイヤハーネス。
【発明の詳細な説明】
【技術分野】
【０００１】
本発明は、電子部品保持構造、電気接続箱、及び、ワイヤハーネスに関する。
【背景技術】
【０００２】
従来、自動車等の車両に搭載され、ワイヤハーネス等の接続処理用部品や、ヒューズ、リレー、電子制御ユニット等の電子部品を集約して収容する電気接続箱（ジャンクションボックス、ヒューズボックス、リレーボックス等とも呼ばれる）が知られている。このような電気接続箱は、例えば、リレー等の電子部品を装着する筒形状の装着部が設けられている（例えば、特許文献１）。
【先行技術文献】
【特許文献】
【０００３】
【特許文献１】特許第５２２１２５５号公報
【発明の概要】
【発明が解決しようとする課題】
【０００４】
ところで、電気接続箱は、例えば、電子部品を装着部に装着する際に当該装着部が弾性変形し、電子部品を装着部に容易に装着できるようにすることが望まれている。
【０００５】
そこで、本発明は、上記に鑑みてなされたものであって、電子部品を装着部に確実に装着することができる電子部品保持構造、電気接続箱、及び、ワイヤハーネスを提供することを目的とする。
【課題を解決するための手段】
【０００６】
上述した課題を解決し、目的を達成するために、本発明に係る電子部品保持構造は、筒形状に形成され電子部品が挿入方向に沿って挿入される挿入口が設けられる筒部と、前記筒部の前記挿入口とは反対側に設けられ前記電子部品を支持する支持部と、前記筒部の互いに対向する壁部にそれぞれ設けられ互いに対向し対向方向に前記壁部を貫通する一対の開口部において、前記各開口部の前記挿入口側のそれぞれの縁部から前記挿入方向に沿って前記支持部側に片持ち状に延在し前記電子部品を保持する一対のアーム部と、前記挿入方向に交差する方向であり、且つ、前記各開口部が設けられた前記筒部の前記壁部に沿う方向である並び方向において前記各アーム部の両側に設けられ、それぞれが前記各開口部の一部を構成し、前記支持部側から前記挿入方向に沿って前記挿入口側に延在し、前記挿入口側の端部が閉塞された閉塞端部である一対の第１スリット部と、前記並び方向において前記一対の第１スリット部を挟んで設けられ、それぞれが前記対向方向に前記壁部を貫通し、前記挿入口から前記挿入方向に沿って前記支持部側に延在し、前記支持部側の端部が閉塞された閉塞端部であり、前記並び方向において前記一対の第１スリット部と重なる一対の第２スリット部と、を備えることを特徴とする。
【０００７】
また、上記電子部品保持構造において、前記筒部は、前記電子部品が前記挿入口から挿入される際に、前記一対の第２スリット部により挟まれるスリット間壁部に前記電子部品が当接した場合、当該スリット間壁部が弾性変形することが好ましい。
【０００８】
また、本発明に係る電気接続箱は、電子部品と、筒形状に形成され前記電子部品が挿入方向に沿って挿入される挿入口が設けられる筒部と、前記筒部の前記挿入口とは反対側に設けられ前記電子部品を支持する支持部と、前記筒部の互いに対向する壁部にそれぞれ設けられ互いに対向し対向方向に前記壁部を貫通する一対の開口部において、前記各開口部の前記挿入口側のそれぞれの縁部から前記挿入方向に沿って前記支持部側に片持ち状に延在し前記電子部品を保持する一対のアーム部と、前記挿入方向に交差する方向であり、且つ、前記各開口部が設けられた前記筒部の前記壁部に沿う方向である並び方向において前記各アーム部の両側に設けられ、それぞれが前記各開口部の一部を構成し、前記支持部側から前記挿入方向に沿って前記挿入口側に延在し、前記挿入口側の端部が閉塞された閉塞端部である一対の第１スリット部と、前記並び方向において前記一対の第１スリット部を挟んで設けられ、それぞれが前記対向方向に前記壁部を貫通し、前記挿入口から前記挿入方向に沿って前記支持部側に延在し、前記支持部側の端部が閉塞された閉塞端部であり、前記並び方向において前記一対の第１スリット部と重なる一対の第２スリット部と、を備えることを特徴とする。
【０００９】
また、本発明に係るワイヤハーネスは、電子部品と、筒形状に形成され前記電子部品が挿入方向に沿って挿入される挿入口が設けられる筒部と、前記筒部の前記挿入口とは反対側に設けられ前記電子部品を支持する支持部と、前記筒部の互いに対向する壁部にそれぞれ設けられ互いに対向し対向方向に前記壁部を貫通する一対の開口部において、前記各開口部の前記挿入口側のそれぞれの縁部から前記挿入方向に沿って前記支持部側に片持ち状に延在し前記電子部品を保持する一対のアーム部と、前記挿入方向に交差する方向であり、且つ、前記各開口部が設けられた前記筒部の前記壁部に沿う方向である並び方向において前記各アーム部の両側に設けられ、それぞれが前記各開口部の一部を構成し、前記支持部側から前記挿入方向に沿って前記挿入口側に延在し、前記挿入口側の端部が閉塞された閉塞端部である一対の第１スリット部と、前記並び方向において前記一対の第１スリット部を挟んで設けられ、それぞれが前記対向方向に前記壁部を貫通し、前記挿入口から前記挿入方向に沿って前記支持部側に延在し、前記支持部側の端部が閉塞された閉塞端部であり、前記並び方向において前記一対の第１スリット部と重なる一対の第２スリット部と、を備える電気接続箱と、前記電子部品に電気的に接続される電線と、を備えることを特徴とする。
【発明の効果】
【００１０】
本発明に係る電子部品保持構造、電気接続箱、及び、ワイヤハーネスは、並び方向において一対の第１スリット部を挟んで設けられ、挿入口から挿入方向に沿って支持部側に延在し、並び方向において一対の第１スリット部と重なる一対の第２スリット部を備える。これにより、電子部品保持構造、電気接続箱、及び、ワイヤハーネスは、電子部品が挿入口から挿入される際に、一対の第２スリット部により挟まれるスリット間壁部に電子部品が当接した場合、当該スリット間壁部が弾性変形するのでスリット間壁部にかかる応力を緩和することが可能となり、電子部品を装着部に確実に装着することができる。
【図面の簡単な説明】
【００１１】
【図１】図１は、実施形態に係る電気接続箱の構成例を示す斜視図である。
【図２】図２は、実施形態に係る装着部の構成例を示す平面図である。
【図３】図３は、実施形態に係る装着部の構成例を示す図２のＸ１−Ｘ１断面図である。
【図４】図４は、実施形態に係る電気接続箱の機能例を示す図２のＸ２−Ｘ２断面図である。
【図５】図５は、実施形態に係る電気接続箱の機能例を示す図２のＸ２−Ｘ２断面図である。
【図６】図６は、実施形態に係る電気接続箱の機能例を示す図２のＸ２−Ｘ２断面図である。
【図７】図７は、実施形態に係る電気接続箱の機能例を示す図２のＸ２−Ｘ２断面図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態〕
実施形態に係る電子部品保持構造、電気接続箱、及び、ワイヤハーネスについて説明する。電子部品保持構造１ａを有する電気接続箱１は、図示しない自動車等の車両に搭載される。電気接続箱１は、ワイヤハーネス１００に組み込まれ、電線１０１等の接続処理用部品を構成するコネクタ、ヒューズ、リレー、電子制御ユニット等の電子部品を集約して収容するものである。電気接続箱１は、例えば車両のエンジンルームや車体の下方部分に設置され、バッテリ等の電源と、車両内に搭載される各種電子機器との間に接続される。電気接続箱１は、電源から供給された電力を車両内の各種電子機器に分配する。なお、電気接続箱１は、ジャンクションボックス、ヒューズボックス、リレーボックス等とも呼ばれる場合があるが、本実施形態ではこれらを総称して電気接続箱１と呼ぶ。
【００１４】
なお、以下の説明では、電子部品としてのリレー４０が挿入される方向を挿入方向といい、リレー４０が挿入される側を挿入方向上側といい、その反対側を挿入方向下側という。またここでは、以下の説明を分かり易くするために、便宜的に当該挿入方向と直交する２つの直交方向のうち一方を長辺方向、他方を短辺方向という。これら第１方向としての挿入方向（Ｚ方向）、第２方向としての長辺方向（Ｘ方向）、及び、第３方向としての短辺方向（Ｙ方向）は互いに直交する。なお、長辺方向は、後述する一対の開口部３３が対向する対向方向ともいう。
【００１５】
電気接続箱１は、図１に示すように、箱本体１０と、ロアカバー２０と、装着部３０と、リレー４０と、図示しない配線盤とを備えている。箱本体１０は、絶縁性の合成樹脂からなり、周知の射出成形により成形される。箱本体１０は、天井壁１１と、当該天井壁１１の外縁から挿入方向下側に立設し且つ互いに連なる複数の外壁１２とにより、挿入方向下側に開口する箱形状に形成されている。箱本体１０は、内側に配線盤を収容するための空間部が形成されている。
【００１６】
また、箱本体１０の外壁１２には、当該箱本体１０とロアカバー２０とを固定するための固定部１３が複数設けられている。各固定部１３は、孔部１３ａを有し、後述するロアカバー２０の固定用凸部２１が孔部１３ａに係合される。そして、箱本体１０は、各固定部１３の孔部１３ａにロアカバー２０の固定用凸部２１が係合されることで、当該箱本体１０の挿入方向下側に位置する下面にロアカバー２０が固定される。
【００１７】
ロアカバー２０は、絶縁性の合成樹脂等からなり、周知の射出成形により成形される。ロアカバー２０は、挿入方向下側に位置する図示しない底壁と、当該底壁の外縁から挿入方向上側に立設し且つ互いに連なる複数の外壁２２を備えて、有底筒状に形成されている。ロアカバー２０の外壁２２には、箱本体１０の各固定部１３と係合する固定用凸部２１が複数設けられている。また、ロアカバー２０の挿入方向下側に位置する底壁には、自動車に搭載される各種の電子機器と接続したワイヤハーネス１００の端部に設けられた図示しないコネクタが嵌合する。ロアカバー２０は、各固定用凸部２１が箱本体１０の各固定部１３の孔部１３ａに係合し、箱本体１０の下面を覆うように箱本体１０に取り付けられる。
【００１８】
リレー４０は、内側に内部コイル等を収容したブロック状の本体部４１と、この本体部４１の挿入方向下側に位置する図示しない底面から突出した導電性を有する帯板状の複数の端子４２と、本体部４１の側面に突設され且つ互いに相対する一対の係止用の突出部４３とを備えている。各端子４２は、それぞれ、リレー４０が装着部３０に装着された際に、当該装着部３０の後述する各挿通孔３２ａに通され、配線盤の後述する各バスバと電気的に接続される。各突出部４３は、互いに本体部４１の長辺方向に沿って相対するように配置されている。各突出部４３は、それぞれ、リレー４０が装着部３０に装着された際に、装着部３０の後述する互いに相対する各アーム部３４の爪部３４ｃに係止して、リレー４０を装着部３０の筒部３１内に固定する。
【００１９】
配線盤は、導電性のバスバと、絶縁板等を備えている。バスバは、導電性の板金に打ち抜き加工等のプレス加工が施されて得られ、複数設けられている。複数のバスバは、互いに重ねられている。絶縁板は、互いに重ねられたバスバ間等に配され、バスバ同士が意図しない箇所で相互に電気的に接続すること則ち短絡することを防止するとともに、バスバを位置決めしている。配線盤は、箱本体１０内に収容されると、バスバが上述したワイヤハーネス１００のコネクタと、装着部３０に装着されたリレー４０とを予め定められたパターンにしたがって、互いに電気的に接続する。
【００２０】
装着部３０は、リレー４０等の電子部品を装着するものであり、箱本体１０の挿入方向上側の天井壁１１に複数設けられている。装着部３０は、筒部３１と、支持部３２と、一対の開口部３３と、一対のアーム部３４と、一対の第１スリット部３５と、一対の第２スリット部３６とを備える。筒部３１は、互いに連なる複数の矩形板状の壁部３１ａを備えて、筒形状に形成されている。筒部３１は、例えば、挿入方向上側から見た場合に矩形状である。筒部３１は、箱本体１０の天井壁１１に壁部３１ａが挿入方向に沿うように立設されている。筒部３１は、箱本体１０の天井壁１１に一体成形してもよいし、又は、別体成形として箱本体１０の天井壁１１に組み付ける構成としてもよい。本実施形態では、筒部３１は、箱本体１０の天井壁１１に一体成形されている。
【００２１】
筒部３１は、一対の対向する案内部材３１ｄが壁部３１ａの内側に設けられている。各案内部材３１ｄは、各開口部３３とは異なる壁部３１ａに配置され、この例では、短辺方向に対向する壁部３１ａに配置されている。各案内部材３１ｄは、挿入方向上側に設けられた傾斜面３１ｅと、各案内部材３１ｄが対向する対向方向（短辺方向）に設けられた垂直面３１ｆとを有している。傾斜面３１ｅは、筒部３１の内側に向かうに従って挿入方向上側から挿入方向下側に向けて傾斜した平面である。垂直面３１ｆは、筒部３１の壁部３１ａの内面に平行な平面である。一対の傾斜面３１ｅは、筒部３１の内側に挿入されるリレー４０の外周に当接し当該リレー４０を筒部３１の短辺方向の中央に案内する。一対の垂直面３１ｆは、リレー４０が筒部３１の短辺方向の中央に位置するように支持する。
【００２２】
筒部３１は、挿入方向上側から見た場合、当該筒部３１の内側の大きさとリレー４０の外形の大きさとが略同じ大きさである。つまり、筒部３１は、当該筒部３１の内側の長辺方向の長さが、リレー４０の一対の突出部４３を含む長辺方向の長さと略同じ長さである。また、筒部３１は、当該筒部３１の内側の短辺方向における一対の案内部材３１ｄの垂直面３１ｆまでの長さがリレー４０の短辺方向の長さと略同じ長さである。
【００２３】
筒部３１は、挿入方向上側にリレー４０が挿入される挿入口３１ｂが設けられ、挿入口３１ｂとは反対側に支持部３２が設けられている。挿入口３１ｂは、筒部３１の挿入方向上側を矩形状に開口する部分である。支持部３２は、箱本体１０の天井壁１１において壁部３１ａにより囲われた内側の部分であり矩形状に形成されている。支持部３２は、筒部３１の挿入口３１ｂとは反対側を閉塞し、挿入口３１ｂから筒部３１の内側に挿入されたリレー４０を支持する。支持部３２は、図２に示すように、リレー４０の各端子４２がそれぞれ挿通される複数の挿通孔３２ａが設けられている。各挿通孔３２ａは、それぞれ、装着部３０にリレー４０が装着された際に、当該リレー４０の各端子４２が挿通される。
【００２４】
一対の開口部３３は、筒部３１の互いに対応する壁部３１ａにそれぞれ設けられている。この例では、各開口部３３は、長辺方向に対向する壁部３１ａにそれぞれ設けられている。各開口部３３は、壁部３１ａの短辺方向の略中央、且つ、壁部３１ａの挿入方向下側に設けられている。各開口部３３は、各開口部３３が対向する対向方向（長辺方向）に壁部３１ａを貫通している。各開口部３３は、矩形状に形成され、各開口部３３の一方の辺３３ａが短辺方向に平行であり、各開口部３３の他方の辺３３ｂが挿入方向に平行である。
【００２５】
一対のアーム部３４は、リレー４０を保持するものである。各アーム部３４は、それぞれ帯板状に形成され、各開口部３３に設けられている。各アーム部３４は、各開口部３３の挿入口３１ｂ側の縁部３３ｃから挿入方向に沿って支持部３２側に片持ち状に延在している。各アーム部３４は、例えば、各アーム部３４の挿入方向上側の一端３４ａ（アーム部３４の基端）と各開口部３３の挿入口３１ｂ側の縁部３３ｃとが連なるように形成されている。つまり、各アーム部３４は、各開口部３３の挿入口３１ｂ側の縁部３３ｃに連なった一端３４ａから支持部３２側に向かって延在し且つ他端３４ｂが自由端となって、各開口部３３の対向方向に弾性変形可能に設けられている。また、各アーム部３４は、それぞれリレー４０の一対の突出部４３に係止される爪部３４ｃが設けられている。各爪部３４ｃは、それぞれ各アーム部３４の他端３４ｂに位置し、当該他端３４ｂから筒部３１の内側に向かって突出して形成されている。各爪部３４ｃは、挿入方向上側に傾斜面３４ｄが設けられている。傾斜面３４ｄは、爪部３４ｃの先端部に向かうに従って挿入方向上側から挿入方向下側に向けて傾斜した平面である。各アーム部３４は、各爪部３４ｃによりリレー４０の突出部４３を係止すると共にリレー４０を筒部３１の内側に向かって押圧することでリレー４０を筒部３１内に保持する。
【００２６】
一対の第１スリット部３５は、各アーム部３４が弾性変形することを可能にするものである。各第１スリット部３５は、挿入方向に交差する方向（好ましくは直交する方向）であり、且つ、各開口部３３が設けられた筒部３１の壁部３１ａに沿う方向である並び方向において各アーム部３４の両側に設けられている。各第１スリット部３５は、それぞれが各開口部３３の一部を構成している。つまり、各第１スリット部３５は、対向方向に壁部３１ａを貫通している。各第１スリット部３５は、支持部３２側から挿入方向に沿って壁部３１ａ内に収まる範囲で挿入口３１ｂ側に延在する。つまり、各第１スリット部３５は、挿入口３１ｂ側の端部である先端３５ａが閉塞された閉塞端部である。
【００２７】
一対の第２スリット部３６は、壁部３１ａの一部が弾性変形することを可能にするものである。各第２スリット部３６は、対向方向に壁部３１ａを貫通するように形成されている。各第２スリット部３６は、並び方向において一対の第１スリット部３５を挟んで設けられ、それぞれが挿入口３１ｂから挿入方向に沿って壁部３１ａ内に収まる範囲で支持部３２側に延在する。つまり、各第２スリット部３６は、支持部３２側の端部である先端３６ａが閉塞された閉塞端部である。各第２スリット部３６は、図３に示すように、並び方向において一対の第１スリット部３５と重なる（ラップする）。つまり、各第２スリット部３６は、当該各第２スリット部３６の先端３６ａが各第１スリット部３５の先端３５ａよりも支持部３２側に位置する。各第２スリット部３６と各第１スリット部３５とが並び方向において重なる部分である各ラップ壁部３１ｇは、柱形状に形成されている。各ラップ壁部３１ｇは、一対の第２スリット部３６により挟まれるスリット間壁部３１ｈの上部３１ｉを対向方向において弾性変形可能に支持している。各ラップ壁部３１ｇは、外力が加えられていない場合、スリット間壁部３１ｈの上部３１ｉを当該スリット間壁部３１ｈと連なる壁部３１ａと平行な状態で支持している。
【００２８】
次に、電気接続箱１の機能例について説明する。電気接続箱１は、図４に示すように、電気接続箱１の装着部３０に対してリレー４０が相対され、挿入方向上側から挿入方向下側に向けてリレー４０が装着部３０の筒部３１内に当該リレー４０の各端子４２側から挿入される。電気接続箱１は、筒部３１内において案内部材３１ｄによりリレー４０を筒部３１の短辺方向の中央に案内する。
【００２９】
そして、電気接続箱１は、図５に示すように、装着部３０の各挿通孔３２ａそれぞれにリレー４０の各端子４２が通され、装着部３０の筒部３１内にリレー４０の本体部４１が挿入されていくと、リレー４０の一対の突出部４３が筒部３１の壁部３１ａの内側に当接する場合がある。この場合、電気接続箱１は、リレー４０の各突出部４３が当接するスリット間壁部３１ｈの上部３１ｉが長辺方向に弾性変形する。つまり、電気接続箱１は、スリット間壁部３１ｈの上部３１ｉがラップ壁部３１ｇにより支持されているので、スリット間壁部３１ｈの上部３１ｉがリレー４０の各突出部４３により筒部３１の外側に押圧されると、当該スリット間壁部３１ｈの上部３１ｉが筒部３１の外側に向けて撓む。これにより、電気接続箱１は、リレー４０の各突出部４３が筒部３１の壁部３１ａに当接しても当該筒部３１の壁部３１ａにかかる応力を緩和することができる。
【００３０】
電気接続箱１は、図６に示すように、リレー４０の本体部４１が一対のアーム部３４の各爪部３４ｃに当接すると各アーム部３４が弾性変形し、各アーム部３４の各爪部３４ｃがリレー４０の本体部４１によって筒部３１の外側に押し出される。
【００３１】
電気接続箱１は、さらに、筒部３１内にリレー４０の本体部４１を挿入させていくと、図７に示すように、各アーム部３４の各爪部３４ｃが、リレー４０の各突出部４３を乗り越えて当該リレー４０の各突出部４３各々と係止し、支持部３２がリレー４０の底面を支持する。
【００３２】
そして、電気接続箱１は、各アーム部３４が、各アーム部３４の弾性復元力によって、筒部３１内にリレー４０の本体部４１を保持するとともに、当該各アーム部３４の各爪部３４ｃが、リレー４０の各突出部４３各々と係止することで、筒部３１内にリレー４０の本体部４１を固定する。これにより、電気接続箱１は、箱本体１０の装着部３０にリレー４０が装着される。
【００３３】
以上のように、実施形態に係る電気接続箱１、電子部品保持構造１ａ、及び、ワイヤハーネス１００（電気接続箱１等ともいう）は、並び方向において一対の第１スリット部３５を挟んで設けられ、それぞれが対向方向に壁部３１ａを貫通し、挿入口３１ｂから挿入方向に沿って支持部３２側に延在し、支持部３２側の端部である先端３６ａが閉塞された閉塞端部であり、並び方向において各第１スリット部３５と重なる一対の第２スリット部３６を備える。これにより、電気接続箱１等は、各第２スリット部３６と各第１スリット部３５とが並び方向において重なる部分である一対のラップ壁部３１ｇが、柱形状に形成される。従って、電気接続箱１等は、各ラップ壁部３１ｇが、各第２スリット部３６により挟まれるスリット間壁部３１ｈの上部３１ｉを弾性変形可能に支持することができる。これにより、電気接続箱１等は、リレー４０の各突出部４３が当接するスリット間壁部３１ｈの上部３１ｉを長辺方向に弾性変形させることができる。つまり、電気接続箱１等は、ラップ壁部３１ｇにより支持されるスリット間壁部３１ｈの上部３１ｉがリレー４０の各突出部４３により筒部３１の外側に押圧されると、当該スリット間壁部３１ｈの上部３１ｉが筒部３１の外側に向けて撓む。これにより、電気接続箱１等は、リレー４０の各突出部４３が筒部３１の壁部３１ａに当接しても当該筒部３１の壁部３１ａにかかる応力を緩和することができる。従って、電気接続箱１等は、リレー４０を筒形状の装着部３０に確実に装着することができる。また、電気接続箱１等は、各第２スリット部３６は、挿入口３１ｂから挿入方向に沿って壁部３１ａ内に収まる範囲で支持部３２側に延在するので、矩形状の囲い形状を維持することができ、リレー４０を保持する機能を損なうことがない。
【００３４】
また、電気接続箱１等において、筒部３１は、リレー４０が挿入口３１ｂから挿入される際に、各第２スリット部３６により挟まれるスリット間壁部３１ｈにリレー４０が当接した場合、当該スリット間壁部３１ｈが弾性変形する。これにより、電気接続箱１等は、リレー４０の各突出部４３が筒部３１のスリット間壁部３１ｈに当接しても当該筒部３１のスリット間壁部３１ｈにかかる応力を緩和することができる。
【００３５】
〔変形例〕
次に、実施形態の変形例について説明する。アーム部３４及び第２スリット部３６は、長辺方向に対向する一対の壁部３１ａにそれぞれ１つずつ設けられる例について説明したがこれに限定されない。アーム部３４及び第２スリット部３６は、リレー４０の突出部４３の位置に応じて適宜設けられる。
【符号の説明】
【００３６】
１  電気接続箱
１ａ  電子部品保持構造
３０  装着部
３１  筒部
３１ａ  壁部
３１ｂ  挿入口
３１ｈ  スリット間壁部
３２  支持部
３３  開口部
３３ｃ  縁部
３４  アーム部
３５  第１スリット部
３６  第２スリット部
４０  リレー（電子部品）
１００  ワイヤハーネス
１０１  電線
【図１】
2018057124.tif 000003
【図２】
2018057124.tif 000004
【図３】
2018057124.tif 000005
【図４】
2018057124.tif 000006
【図５】
2018057124.tif 000007
【図６】
2018057124.tif 000008
【図７】
2018057124.tif 000009